(57)【要約】  基地局と、前記基地局との接続を確立する第１のユーザ端末及び第２のユーザ端末と、前記基地局を収容するコアネットワークと、を有する移動通信システムは、前記第１のユーザ端末と前記第２のユーザ端末との間に設定されるデータパスが前記コアネットワークを経由するセルラ通信と、前記データパスが前記コアネットワークを経由しないＤ２Ｄ通信と、をサポートする。前記Ｄ２Ｄ通信は、前記データパスが前記基地局を経由しない第１のＤ２Ｄ通信モードと、前記データパスが前記基地局を経由する第２のＤ２Ｄ通信モードと、を含む。前記第１のユーザ端末及び前記第２のユーザ端末は、前記第１のＤ２Ｄ通信モードによる前記Ｄ２Ｄ通信の通信状態が悪化した場合に、前記第２のＤ２Ｄ通信モードに遷移して未送信データを送信した後、前記Ｄ２Ｄ通信から前記セルラ通信に切り替える。
2014065167.tif 000002
【特許請求の範囲】
【請求項１】
基地局と、前記基地局との接続を確立する第１のユーザ端末及び第２のユーザ端末と、前記基地局を収容するコアネットワークと、を有し、
前記第１のユーザ端末と前記第２のユーザ端末との間に設定されるデータパスが前記コアネットワークを経由するセルラ通信と、前記データパスが前記コアネットワークを経由しないＤ２Ｄ通信と、をサポートする移動通信システムであって、
前記Ｄ２Ｄ通信は、前記データパスが前記基地局を経由しない第１のＤ２Ｄ通信モードと、前記データパスが前記基地局を経由する第２のＤ２Ｄ通信モードと、を含み、
前記第１のユーザ端末及び前記第２のユーザ端末は、前記第１のＤ２Ｄ通信モードによる前記Ｄ２Ｄ通信の通信状態が悪化した場合に、前記第２のＤ２Ｄ通信モードに遷移して未送信データを送信した後、前記Ｄ２Ｄ通信から前記セルラ通信に切り替えることを特徴とする移動通信システム。
【請求項２】
前記第１のユーザ端末及び／又は前記第２のユーザ端末は、前記第１のＤ２Ｄ通信モードから前記第２のＤ２Ｄ通信モードへ遷移する前において、前記第２のＤ２Ｄ通信モードへの遷移要求を前記基地局に送信することを特徴とする請求項１に記載の移動通信システム。
【請求項３】
前記第１のユーザ端末及び前記第２のユーザ端末は、前記遷移要求に対する許可応答を前記基地局から受信したことに応じて、前記基地局と共に、前記第１のＤ２Ｄ通信モードから前記第２のＤ２Ｄ通信モードへ遷移することを特徴とする請求項２に記載の移動通信システム。
【請求項４】
前記第１のユーザ端末及び前記第２のユーザ端末は、前記Ｄ２Ｄ通信から前記セルラ通信に切り替える前において、前記未送信データの送信が完了したことに応じて送信完了通知を前記基地局に送信することを特徴とする請求項１に記載の移動通信システム。
【請求項５】
前記基地局は、前記送信完了通知の受信に応じて、前記セルラ通信に切り替えるためのデータパス切替要求を前記コアネットワークに送信することを特徴とする請求項４に記載の移動通信システム。
【請求項６】
前記基地局が前記データパス切替要求に対する許可応答を前記コアネットワークから受信した後、前記第１のユーザ端末及び前記第２のユーザ端末は、前記基地局及び前記コアネットワークと共に、前記Ｄ２Ｄ通信から前記セルラ通信に切り替えることを特徴とする請求項５に記載の移動通信システム。
【請求項７】
移動通信システムにおいて、基地局との接続を確立するユーザ端末であって、
前記移動通信システムは、前記ユーザ端末と他のユーザ端末との間に設定されるデータパスがコアネットワークを経由するセルラ通信と、前記データパスが前記コアネットワークを経由しないＤ２Ｄ通信と、をサポートしており、
前記Ｄ２Ｄ通信は、前記データパスが前記基地局を経由しない第１のＤ２Ｄ通信モードと、前記データパスが前記基地局を経由する第２のＤ２Ｄ通信モードと、を含み、
前記ユーザ端末は、前記第１のＤ２Ｄ通信モードによる前記Ｄ２Ｄ通信の通信状態が悪化した場合に、前記第２のＤ２Ｄ通信モードに遷移して未送信データを送信した後、前記Ｄ２Ｄ通信から前記セルラ通信に切り替える制御部を有することを特徴とするユーザ端末。
【請求項８】
移動通信システムにおいて、基地局との接続を確立するユーザ端末に備えられるプロセッサであって、
前記移動通信システムは、前記ユーザ端末と他のユーザ端末との間に設定されるデータパスがコアネットワークを経由するセルラ通信と、前記データパスが前記コアネットワークを経由しないＤ２Ｄ通信と、をサポートしており、
前記Ｄ２Ｄ通信は、前記データパスが前記基地局を経由しない第１のＤ２Ｄ通信モードと、前記データパスが前記基地局を経由する第２のＤ２Ｄ通信モードと、を含み、
前記プロセッサは、前記ユーザ端末が、前記第１のＤ２Ｄ通信モードによる前記Ｄ２Ｄ通信の通信状態が悪化した場合に、前記第２のＤ２Ｄ通信モードに遷移して未送信データを送信した後、前記Ｄ２Ｄ通信から前記セルラ通信に切り替えるための処理を行うことを特徴とするプロセッサ。
【請求項９】
移動通信システムにおいて、第１のユーザ端末及び第２のユーザ端末との接続を確立する基地局であって、
前記移動通信システムは、前記第１のユーザ端末と前記第２のユーザ端末との間に設定されるデータパスがコアネットワークを経由するセルラ通信と、前記データパスが前記コアネットワークを経由しないＤ２Ｄ通信と、をサポートしており、
前記Ｄ２Ｄ通信は、前記データパスが前記基地局を経由しない第１のＤ２Ｄ通信モードと、前記データパスが前記基地局を経由する第２のＤ２Ｄ通信モードと、を含み、
前記基地局は、前記第１のＤ２Ｄ通信モードによる前記Ｄ２Ｄ通信の通信状態が悪化した場合に、前記第２のＤ２Ｄ通信モードに遷移して未送信データを送信した後、前記Ｄ２Ｄ通信から前記セルラ通信に切り替えるよう前記第１のユーザ端末及び前記第２のユーザ端末を制御する制御部を有することを特徴とする基地局。
【請求項１０】
移動通信システムにおいて、第１のユーザ端末及び第２のユーザ端末との接続を確立する基地局に備えられるプロセッサであって、
前記移動通信システムは、前記第１のユーザ端末と前記第２のユーザ端末との間に設定されるデータパスがコアネットワークを経由するセルラ通信と、前記データパスが前記コアネットワークを経由しないＤ２Ｄ通信と、をサポートしており、
前記Ｄ２Ｄ通信は、前記データパスが前記基地局を経由しない第１のＤ２Ｄ通信モードと、前記データパスが前記基地局を経由する第２のＤ２Ｄ通信モードと、を含み、
前記プロセッサは、前記基地局が、前記第１のＤ２Ｄ通信モードによる前記Ｄ２Ｄ通信の通信状態が悪化した場合に、前記第２のＤ２Ｄ通信モードに遷移して未送信データを送信した後、前記Ｄ２Ｄ通信から前記セルラ通信に切り替えるよう前記第１のユーザ端末及び前記第２のユーザ端末を制御するための処理を行うことを特徴とするプロセッサ。
【請求項１１】
基地局と、前記基地局との接続を確立する第１のユーザ端末及び第２のユーザ端末と、前記基地局を収容するコアネットワークと、を有し、
前記第１のユーザ端末と前記第２のユーザ端末との間に設定されるデータパスが前記コアネットワークを経由するセルラ通信と、前記データパスが前記コアネットワークを経由しないＤ２Ｄ通信と、をサポートする移動通信システムにおける通信制御方法であって、
前記Ｄ２Ｄ通信は、前記データパスが前記基地局を経由しない第１のＤ２Ｄ通信モードと、前記データパスが前記基地局を経由する第２のＤ２Ｄ通信モードと、を含み、
前記通信制御方法は、前記第１のユーザ端末及び前記第２のユーザ端末が、前記第１のＤ２Ｄ通信モードによる前記Ｄ２Ｄ通信の通信状態が悪化した場合に、前記第２のＤ２Ｄ通信モードに遷移して未送信データを送信した後、前記Ｄ２Ｄ通信から前記セルラ通信に切り替えるステップを有することを特徴とする通信制御方法。
【請求項１２】
移動通信システムにおいて、基地局との接続を確立するユーザ端末であって、
前記移動通信システムは、前記ユーザ端末と他のユーザ端末との間に設定されるデータパスがコアネットワークを経由するセルラ通信と、前記データパスが前記コアネットワークを経由しないＤ２Ｄ通信と、をサポートしており、
前記Ｄ２Ｄ通信は、前記データパスが前記基地局を経由しない第１のＤ２Ｄ通信モードと、前記データパスが前記基地局を経由する第２のＤ２Ｄ通信モードと、を含み、
前記ユーザ端末は、前記第１のＤ２Ｄ通信モードから前記第２のＤ２Ｄ通信モードに遷移して未送信データを送信した後、前記Ｄ２Ｄ通信から前記セルラ通信に切り替える制御部を有することを特徴とするユーザ端末。
【請求項１３】
移動通信システムにおいて、第１のユーザ端末及び第２のユーザ端末との接続を確立する基地局であって、
前記移動通信システムは、前記第１のユーザ端末と前記第２のユーザ端末との間に設定されるデータパスがコアネットワークを経由するセルラ通信と、前記データパスが前記コアネットワークを経由しないＤ２Ｄ通信と、をサポートしており、
前記Ｄ２Ｄ通信は、前記データパスが前記基地局を経由しない第１のＤ２Ｄ通信モードと、前記データパスが前記基地局を経由する第２のＤ２Ｄ通信モードと、を含み、
前記基地局は、前記第１のＤ２Ｄ通信モードから前記第２のＤ２Ｄ通信モードに遷移して未送信データを送信した後、前記Ｄ２Ｄ通信から前記セルラ通信に切り替えるよう前記第１のユーザ端末及び前記第２のユーザ端末を制御する制御部を有することを特徴とする基地局。
【発明の詳細な説明】
【技術分野】
【０００１】
本発明は、Ｄ２Ｄ通信をサポートする移動通信システム、及び、当該移動通信システムにおけるユーザ端末、基地局、プロセッサ及び通信制御方法に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）通信の導入が検討されている（非特許文献１参照）。【０００３】
Ｄ２Ｄ通信は、近接する複数のユーザ端末が、移動通信システムに割り当てられた周波数帯域内で、コアネットワークを介さずに通信を行うものである。なお、Ｄ２Ｄ通信は、近傍サービス（Ｐｒｏｘｉｍｉｔｙ  Ｓｅｒｖｉｃｅ）通信と称されることもある。
【先行技術文献】
【非特許文献】
【０００４】
【非特許文献１】３ＧＰＰ技術報告  「ＴＲ  ２２．８０３  Ｖ０．３．０」  ２０１２年５月
【発明の概要】
【０００５】
現状では、Ｄ２Ｄ通信を適切に制御するための仕様が策定されていない。
【０００６】
そこで、本発明は、Ｄ２Ｄ通信を適切に制御できる移動通信システム、当該移動通信システムにおけるユーザ端末、基地局、プロセッサ及び通信制御方法を提供する。
【０００７】
一実施形態によれば、移動通信システムは、基地局と、前記基地局との接続を確立する第１のユーザ端末及び第２のユーザ端末と、前記基地局を収容するコアネットワークと、を有する。移動通信システムは、前記第１のユーザ端末と前記第２のユーザ端末との間に設定されるデータパスが前記コアネットワークを経由するセルラ通信と、前記データパスが前記コアネットワークを経由しないＤ２Ｄ通信と、をサポートする。前記Ｄ２Ｄ通信は、前記データパスが前記基地局を経由しない第１のＤ２Ｄ通信モードと、前記データパスが前記基地局を経由する第２のＤ２Ｄ通信モードと、を含む。前記第１のユーザ端末及び前記第２のユーザ端末は、前記第１のＤ２Ｄ通信モードによる前記Ｄ２Ｄ通信の通信状態が悪化した場合に、前記第２のＤ２Ｄ通信モードに遷移して未送信データを送信した後、前記Ｄ２Ｄ通信から前記セルラ通信に切り替える。
【図面の簡単な説明】
【０００８】
【図１】ＬＴＥシステムの構成図である。
【図２】ＵＥのブロック図である。
【図３】ｅＮＢのブロック図である。
【図４】ＬＴＥシステムにおける無線インターフェイスのプロトコルスタック図である。
【図５】ＬＴＥシステムで使用される無線フレームの構成図である。
【図６】セルラ通信におけるデータパスを説明するための図である。
【図７】Ｄ２Ｄ通信におけるデータパスを説明するための図である。
【図８】実施形態に係るＤ２Ｄ通信における直接通信モード（第１のＤ２Ｄ通信モード）を説明するための図である。
【図９】実施形態に係るＤ２Ｄ通信における局所中継モード（第２のＤ２Ｄ通信モード）を説明するための図である。
【図１０】実施形態に係るセルラ通信を説明するための図である。
【図１１】実施形態に係るシーケンス図である。
【発明を実施するための形態】
【０００９】
［実施形態の概要］
実施形態に係る移動通信システムは、基地局と、前記基地局との接続を確立する第１のユーザ端末及び第２のユーザ端末と、前記基地局を収容するコアネットワークと、を有する。移動通信システムは、前記第１のユーザ端末と前記第２のユーザ端末との間に設定されるデータパスが前記コアネットワークを経由するセルラ通信と、前記データパスが前記コアネットワークを経由しないＤ２Ｄ通信と、をサポートする。前記Ｄ２Ｄ通信は、前記データパスが前記基地局を経由しない第１のＤ２Ｄ通信モードと、前記データパスが前記基地局を経由する第２のＤ２Ｄ通信モードと、を含む。前記第１のユーザ端末及び前記第２のユーザ端末は、前記第１のＤ２Ｄ通信モードによる前記Ｄ２Ｄ通信の通信状態が悪化した場合に、前記第２のＤ２Ｄ通信モードに遷移して未送信データを送信した後、前記Ｄ２Ｄ通信から前記セルラ通信に切り替える。これにより、セルラ通信に切り替える前に、未送信データを破棄することなく、第２のＤ２Ｄ通信モードにより未送信データを送信できる。従って、第１のＤ２Ｄ通信モードによるＤ２Ｄ通信の通信状態が悪化した場合に、Ｄ２Ｄ通信からセルラ通信への切り替えをシームレスに行うことができる。
【００１０】
実施形態では、前記第１のユーザ端末及び／又は前記第２のユーザ端末は、前記第１のＤ２Ｄ通信モードから前記第２のＤ２Ｄ通信モードへ遷移する前において、前記第２のＤ２Ｄ通信モードへの遷移要求を前記基地局に送信する。これにより、基地局は、第２のＤ２Ｄ通信モードへ遷移することが可能か否かを判断できる。
【００１１】
実施形態では、前記第１のユーザ端末及び前記第２のユーザ端末は、前記遷移要求に対する許可応答を前記基地局から受信したことに応じて、前記基地局と共に、前記第１のＤ２Ｄ通信モードから前記第２のＤ２Ｄ通信モードへ遷移する。これにより、第２のＤ２Ｄ通信モードへ遷移できることを確認した上で第２のＤ２Ｄ通信モードへ遷移するので、より確実に第２のＤ２Ｄ通信モードへ遷移できる。
【００１２】
実施形態では、前記第１のユーザ端末及び前記第２のユーザ端末は、前記Ｄ２Ｄ通信から前記セルラ通信に切り替える前において、前記未送信データの送信が完了したことに応じて送信完了通知を前記基地局に送信する。これにより、基地局は、未送信データの送信が完了したことを把握できる。
【００１３】
実施形態では、前記基地局は、前記送信完了通知の受信に応じて、前記セルラ通信に切り替えるためのデータパス切替要求を前記コアネットワークに送信する。これにより、コアネットワークは、セルラ通信に切り替えることが可能か否かを判断できる。
【００１４】
実施形態では、前記基地局が前記データパス切替要求に対する許可応答を前記コアネットワークから受信した後、前記第１のユーザ端末及び前記第２のユーザ端末は、前記基地局及び前記コアネットワークと共に、前記Ｄ２Ｄ通信から前記セルラ通信に切り替える。これにより、セルラ通信に切り替え可能であることを確認した上でセルラ通信に切り替えるので、より確実にセルラ通信に切り替えることができる。
【００１５】
実施形態に係るユーザ端末は、移動通信システムにおいて、基地局との接続を確立する。前記移動通信システムは、前記ユーザ端末と他のユーザ端末との間に設定されるデータパスがコアネットワークを経由するセルラ通信と、前記データパスが前記コアネットワークを経由しないＤ２Ｄ通信と、をサポートする。前記Ｄ２Ｄ通信は、前記データパスが前記基地局を経由しない第１のＤ２Ｄ通信モードと、前記データパスが前記基地局を経由する第２のＤ２Ｄ通信モードと、を含む。前記ユーザ端末は、前記第１のＤ２Ｄ通信モードによる前記Ｄ２Ｄ通信の通信状態が悪化した場合に、前記第２のＤ２Ｄ通信モードに遷移して未送信データを送信した後、前記Ｄ２Ｄ通信から前記セルラ通信に切り替える制御部を有する。
【００１６】
実施形態に係るプロセッサは、移動通信システムにおいて、基地局との接続を確立するユーザ端末に備えられる。前記移動通信システムは、前記ユーザ端末と他のユーザ端末との間に設定されるデータパスがコアネットワークを経由するセルラ通信と、前記データパスが前記コアネットワークを経由しないＤ２Ｄ通信と、をサポートする。前記Ｄ２Ｄ通信は、前記データパスが前記基地局を経由しない第１のＤ２Ｄ通信モードと、前記データパスが前記基地局を経由する第２のＤ２Ｄ通信モードと、を含む。前記プロセッサは、前記ユーザ端末が、前記第１のＤ２Ｄ通信モードによる前記Ｄ２Ｄ通信の通信状態が悪化した場合に、前記第２のＤ２Ｄ通信モードに遷移して未送信データを送信した後、前記Ｄ２Ｄ通信から前記セルラ通信に切り替えるための処理を行う。
【００１７】
実施形態に係る基地局は、移動通信システムにおいて、第１のユーザ端末及び第２のユーザ端末との接続を確立する。前記移動通信システムは、前記第１のユーザ端末と前記第２のユーザ端末との間に設定されるデータパスがコアネットワークを経由するセルラ通信と、前記データパスが前記コアネットワークを経由しないＤ２Ｄ通信と、をサポートする。前記Ｄ２Ｄ通信は、前記データパスが前記基地局を経由しない第１のＤ２Ｄ通信モードと、前記データパスが前記基地局を経由する第２のＤ２Ｄ通信モードと、を含む。前記基地局は、前記第１のＤ２Ｄ通信モードによる前記Ｄ２Ｄ通信の通信状態が悪化した場合に、前記第２のＤ２Ｄ通信モードに遷移して未送信データを送信した後、前記Ｄ２Ｄ通信から前記セルラ通信に切り替えるよう前記第１のユーザ端末及び前記第２のユーザ端末を制御する制御部を有する。
【００１８】
実施形態に係るプロセッサは、移動通信システムにおいて、第１のユーザ端末及び第２のユーザ端末との接続を確立する基地局に備えられる。前記移動通信システムは、前記第１のユーザ端末と前記第２のユーザ端末との間に設定されるデータパスがコアネットワークを経由するセルラ通信と、前記データパスが前記コアネットワークを経由しないＤ２Ｄ通信と、をサポートする。前記Ｄ２Ｄ通信は、前記データパスが前記基地局を経由しない第１のＤ２Ｄ通信モードと、前記データパスが前記基地局を経由する第２のＤ２Ｄ通信モードと、を含む。前記プロセッサは、前記基地局が、前記第１のＤ２Ｄ通信モードによる前記Ｄ２Ｄ通信の通信状態が悪化した場合に、前記第２のＤ２Ｄ通信モードに遷移して未送信データを送信した後、前記Ｄ２Ｄ通信から前記セルラ通信に切り替えるよう前記第１のユーザ端末及び前記第２のユーザ端末を制御するための処理を行う。
【００１９】
実施形態に係る通信制御方法は、基地局と、前記基地局との接続を確立する第１のユーザ端末及び第２のユーザ端末と、前記基地局を収容するコアネットワークと、を有し、前記第１のユーザ端末と前記第２のユーザ端末との間に設定されるデータパスが前記コアネットワークを経由するセルラ通信と、前記データパスが前記コアネットワークを経由しないＤ２Ｄ通信と、をサポートする移動通信システムにおいて用いられる。前記Ｄ２Ｄ通信は、前記データパスが前記基地局を経由しない第１のＤ２Ｄ通信モードと、前記データパスが前記基地局を経由する第２のＤ２Ｄ通信モードと、を含む。前記通信制御方法は、前記第１のユーザ端末及び前記第２のユーザ端末が、前記第１のＤ２Ｄ通信モードによる前記Ｄ２Ｄ通信の通信状態が悪化した場合に、前記第２のＤ２Ｄ通信モードに遷移して未送信データを送信した後、前記Ｄ２Ｄ通信から前記セルラ通信に切り替えるステップを有する。
【００２０】
実施形態に係るユーザ端末は、移動通信システムにおいて、基地局との接続を確立する。前記移動通信システムは、前記ユーザ端末と他のユーザ端末との間に設定されるデータパスがコアネットワークを経由するセルラ通信と、前記データパスが前記コアネットワークを経由しないＤ２Ｄ通信と、をサポートする。前記Ｄ２Ｄ通信は、前記データパスが前記基地局を経由しない第１のＤ２Ｄ通信モードと、前記データパスが前記基地局を経由する第２のＤ２Ｄ通信モードと、を含む。前記ユーザ端末は、前記第１のＤ２Ｄ通信モードから前記第２のＤ２Ｄ通信モードに遷移して未送信データを送信した後、前記Ｄ２Ｄ通信から前記セルラ通信に切り替える制御部を有する。
【００２１】
実施形態に係る基地局は、移動通信システムにおいて、第１のユーザ端末及び第２のユーザ端末との接続を確立する。前記移動通信システムは、前記第１のユーザ端末と前記第２のユーザ端末との間に設定されるデータパスがコアネットワークを経由するセルラ通信と、前記データパスが前記コアネットワークを経由しないＤ２Ｄ通信と、をサポートする。前記Ｄ２Ｄ通信は、前記データパスが前記基地局を経由しない第１のＤ２Ｄ通信モードと、前記データパスが前記基地局を経由する第２のＤ２Ｄ通信モードと、を含む。前記基地局は、前記第１のＤ２Ｄ通信モードから前記第２のＤ２Ｄ通信モードに遷移して未送信データを送信した後、前記Ｄ２Ｄ通信から前記セルラ通信に切り替えるよう前記第１のユーザ端末及び前記第２のユーザ端末を制御する制御部を有する。
【００２２】
［実施形態］
以下、図面を参照して、３ＧＰＰ規格に準拠して構成される移動通信システム（ＬＴＥシステム）にＤ２Ｄ通信を導入する場合の実施形態を説明する。
【００２３】
（ＬＴＥシステム）
図１は、本実施形態に係るＬＴＥシステムの構成図である。
【００２４】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。ＥＰＣ２０は、コアネットワークに相当する。
【００２５】
ＵＥ１００は、移動型の無線通信装置であり、接続を確立したセル（サービングセル）との無線通信を行う。ＵＥ１００はユーザ端末に相当する。
【００２６】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを管理しており、セルとの接続を確立したＵＥ１００との無線通信を行う。
【００２７】
なお、「セル」は、無線通信エリアの最小単位を示す用語として使用される他に、ＵＥ１００との無線通信を行う機能を示す用語としても使用される。
【００２８】
ｅＮＢ２００は、例えば、無線リソース管理（ＲＲＭ）機能と、ユーザデータのルーティング機能と、モビリティ制御及びスケジューリングのための測定制御機能と、を有する。
【００２９】
ＥＰＣ２０は、複数のＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。
【００３０】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。ＭＭＥ／Ｓ−ＧＷ３００により構成されるＥＰＣ２０は、ｅＮＢ２００を収容する。
【００３１】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００３２】
次に、ＵＥ１００及びｅＮＢ２００の構成を説明する。
【００３３】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００３４】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３５】
アンテナ１０１及び無線送受信機１１０は、無線信号の送受信に用いられる。アンテナ１０１は、複数のアンテナ素子を含む。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００３６】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００３７】
ＧＮＳＳ受信機１３０は、ＵＥ１００の地理的な位置を示す位置情報を得るために、ＧＮＳＳ信号を受信して、受信した信号をプロセッサ１６０に出力する。
【００３８】
バッテリ１４０は、ＵＥ１００の各ブロックに供給すべき電力を蓄える。
【００３９】
メモリ１５０は、プロセッサ１６０によって実行されるプログラムと、プロセッサ１６０による処理に使用される情報と、を記憶する。
【００４０】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４１】
図３は、ｅＮＢ２００のブロック図である。図３に示すように、ｅＮＢ２００は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）をプロセッサとしてもよい。
【００４２】
アンテナ２０１及び無線送受信機２１０は、無線信号の送受信に用いられる。アンテナ２０１は、複数のアンテナ素子を含む。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００４３】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４４】
メモリ２３０は、プロセッサ２４０によって実行されるプログラムと、プロセッサ２４０による処理に使用される情報と、を記憶する。
【００４５】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４６】
図４は、ＬＴＥシステムにおける無線インターフェイスのプロトコルスタック図である。
【００４７】
図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００４８】
物理レイヤは、符号化・復号、変調・復調、アンテナマッピング・デマッピング、及びリソースマッピング・デマッピングを行う。ＵＥ１００の物理レイヤとｅＮＢ２００の物理レイヤとの間では、物理チャネルを介してデータが伝送される。
【００４９】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割当リソースブロックを決定するＭＡＣスケジューラを含む。
【００５０】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５１】
ＰＤＣＰレイヤは、ヘッダ圧縮・伸張、及び暗号化・復号化を行う。
【００５２】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態であり、そうでない場合、ＵＥ１００はアイドル状態である。
【００５３】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００５４】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５５】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。
【００５６】
ＵＥ１００に割り当てられる無線リソースのうち、周波数リソースはリソースブロックにより特定でき、時間リソースはサブフレーム（又はスロット）により特定できる。
【００５７】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。
【００５８】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。
【００５９】
（Ｄ２Ｄ通信）
本実施形態に係るＬＴＥシステムは、Ｄ２Ｄ通信をサポートする。ここでは、Ｄ２Ｄ通信を、ＬＴＥシステムの通常の通信（セルラ通信）と比較して説明する。
【００６０】
セルラ通信は、ＵＥ間に設定されるデータパスがＥＰＣ２０を経由する。これに対し、Ｄ２Ｄ通信は、ＵＥ間に設定されるデータパスがＥＰＣ２０を経由しない。
【００６１】
図６は、セルラ通信におけるデータパスを示す。ここでは、ｅＮＢ２００−１との接続を確立したＵＥ１００−１と、ｅＮＢ２００−２との接続を確立したＵＥ１００−２と、の間でセルラ通信を行う場合を例示している。なお、データパスとは、ユーザデータ（ユーザプレーン）の転送経路を意味する。
【００６２】
図６に示すように、セルラ通信のデータパスはＥＰＣ２０（Ｓ−ＧＷ３００）を経由する。詳細には、ｅＮＢ２００−１、Ｓ−ＧＷ３００、及びｅＮＢ２００−２を経由するデータパスが設定される。
【００６３】
図７は、Ｄ２Ｄ通信におけるデータパスの一例を示す。ここでは、ｅＮＢ２００−１との接続を確立したＵＥ１００−１と、ｅＮＢ２００−２との接続を確立したＵＥ１００−２と、の間でＤ２Ｄ通信を行う場合を例示している。
【００６４】
図７に示すように、Ｄ２Ｄ通信のデータパスはＥＰＣ２０（Ｓ−ＧＷ３００）を経由しない。Ｄ２Ｄ通信には、２つのモードが存在する。一方は、データパスがｅＮＢ２００を経由しない直接通信モード（第１のＤ２Ｄ通信モード）である。図７では、直接通信モードでのＤ２Ｄ通信のケースを図示している。他方は、データパスがｅＮＢ２００を経由する局所中継モード（第２のＤ２Ｄ通信モード）である。局所中継モードは、Ｌｏｃａｌｌｙ  Ｒｏｕｔｅｄ（Ｌ．Ｒ）モードと称されることもある。
【００６５】
このように、ＵＥ１００−１の近傍にＵＥ１００−２が存在するのであれば、ＵＥ１００−１とＵＥ１００−２との間でＤ２Ｄ通信を行うことによって、ＥＰＣ２０のトラフィック負荷及びＵＥ１００のバッテリ消費量を削減するなどの効果が得られる。
【００６６】
なお、Ｄ２Ｄ通信が開始されるケースとして、（ａ）相手端末を発見するための動作を行うことによって相手端末を発見した後に、Ｄ２Ｄ通信が開始されるケースと、（ｂ）相手端末を発見するための動作を行わずにＤ２Ｄ通信が開始されるケースがある。
【００６７】
例えば、上記（ａ）のケースでは、ＵＥ１００−１及びＵＥ１００−２のうち一方のＵＥ１００が、近傍に存在する他方のＵＥ１００を発見することで、Ｄ２Ｄ通信が開始される。
【００６８】
このケースの場合、ＵＥ１００は、相手端末を発見するために、自身の近傍に存在する他のＵＥ１００を発見する（Ｄｉｓｃｏｖｅｒ）機能、及び／又は、ＵＥ１００は、他のＵＥ１００から発見される(Ｄｉｓｃｏｖｅｒａｂｌｅ)機能を有する。
【００６９】
例えば、ＵＥ１００−１及びＵＥ１００−２のうち一方のＵＥが発見用信号（Ｄｉｓｃｏｖｅｒ信号）を自身の周辺に送信し、当該発見用信号を他方のＵＥが受信することで、当該他方のＵＥが当該一方のＵＥを発見する。また、当該他方のＵＥが発見用信号に対する応答信号を自身の周辺に送信し、当該応答信号を当該一方のＵＥが受信することで、当該一方のＵＥが当該他方のＵＥを発見する。
【００７０】
なお、ＵＥ１００は、相手端末を発見しても必ずしもＤ２Ｄ通信を行う必要はなく、例えば、ＵＥ１００−１及びＵＥ１００−２は、互いに相手を発見した後に、ネゴシエーションを行って、Ｄ２Ｄ通信を行うか否かを判定してもよい。ＵＥ１００−１及びＵＥ１００−２のそれぞれは、Ｄ２Ｄ通信を行うことに同意した場合に、Ｄ２Ｄ通信を開始する。
【００７１】
一方、上記（ｂ）のケースでは、例えば、ＵＥ１００は、ブロードキャストによってＤ２Ｄ通信用の信号の報知を開始する。これにより、ＵＥ１００は、相手端末の発見の有無にかかわらず、Ｄ２Ｄ通信を開始できる。
【００７２】
ただし、Ｄ２Ｄ通信はＬＴＥシステムの周波数帯域（すなわち、セルラ通信の周波数帯域内）で行われることが想定されており、例えばセルラ通信への干渉を回避するために、ｅＮＢ２００の管理下でＤ２Ｄ通信が行われる。
【００７３】
（実施形態に係る動作）
以下、本実施形態に係る動作を説明する。
【００７４】
（１）動作概要
図８は、本実施形態に係る動作環境を示す図である。
【００７５】
図８に示すように、ｅＮＢ２００と、ｅＮＢ２００との接続を確立するＵＥ１００−１及びＵＥ１００−２と、ｅＮＢ２００を収容するＥＰＣ２０（Ｓ−ＧＷ３００）と、を有する動作環境において、ＵＥ１００−１及びＵＥ１００−２が直接通信モードでのＤ２Ｄ通信を行うケースを想定する。
【００７６】
すなわち、本実施形態に係る動作の初期状態では、ＵＥ１００−１及びＵＥ１００−２は相互に近接しており、ｅＮＢ２００の管理下で直接通信モードでのＤ２Ｄ通信を行う。
【００７７】
Ｄ２Ｄ通信においては、セルラ通信と類似した手順でデータ送信が行われる。具体的には、ＵＥ１００−１は、ＵＥ１００−２宛てのパケットを分割（フラグメンテーション）し、分割して得たデータ毎に送信を行う。また、ＵＥ１００−１は、ＵＥ１００−２からＡＣＫが通知されるまでは、当該ＡＣＫに対応する送信済みデータを保持する。そして、ＵＥ１００−１は、ＵＥ１００−２からＮＡＣＫが通知されたデータ又はＡＣＫが通知されなかったデータについては、ＵＥ１００−２への再送を行う。ＵＥ１００−２も同様の手順でデータ送信を行う。
【００７８】
その後、ＵＥ１００−１及び／又はＵＥ１００−２が移動することにより、ＵＥ１００−１とＵＥ１００−２との間の距離が離れ、直接通信モードでのＤ２Ｄ通信の通信状態が悪化したと仮定する。通信状態とは、例えば、受信電力、受信ＳＮＲ、又は受信誤り率などを意味する。通信状態の悪化とは、例えば、受信電力又は受信ＳＮＲが閾値よりも低くなる、或いは、Ｄ２Ｄ通信における受信誤り率が閾値よりも高くなることを意味する。
【００７９】
直接通信モードでのＤ２Ｄ通信の通信状態の悪化が進行すると、Ｄ２Ｄ通信が途絶し、ＵＥ１００−１とＵＥ１００−２との間の通信が途絶する。このような通信の途絶を回避するためには、通信状態の悪化をトリガとして、Ｄ２Ｄ通信からセルラ通信に切り替えることが考えられる。
【００８０】
しかしながら、いきなりセルラ通信に切り替えると、Ｄ２Ｄ通信における未送信データをセルラ通信に引き継ぐことは困難であると考えられる。「未送信データ」とは、分割（フラグメンテーション）されたデータ、及び／又は再送すべきデータを意味する。
【００８１】
また、ＵＥ１００の通信状態が直接通信モードでのＤ２Ｄ通信が成立する限界付近の通信状態である場合において、Ｄ２Ｄ通信とセルラ通信の間で状態遷移が繰り返されると、余計な制御情報が増え、ＵＥ１００及びＥＰＣ２０の負荷が増大してしまう。
【００８２】
そこで、本実施形態では、図９に示すように、ＵＥ１００−１及びＵＥ１００−２は、直接通信モードによるＤ２Ｄ通信の通信状態が悪化した場合に、局所中継モードに一時的に遷移して未送信データを送信する。具体的には、ＵＥ１００−１及びＵＥ１００−２は、ｅＮＢ２００を経由し、且つＳ−ＧＷ３００を経由しないデータパスを用いて、直接通信モードにおける未送信データを送信する。また、ＵＥ１００−１及びＵＥ１００−２は、未送信データの送信が完了するまで局所中継モードでのＤ２Ｄ通信を行う。
【００８３】
図１０に示すように、ＵＥ１００−１及びＵＥ１００−２は、未送信データの送信が完了すると、Ｄ２Ｄ通信からセルラ通信に切り替える。具体的には、ＵＥ１００−１及びＵＥ１００−２は、ｅＮＢ２００を経由し、且つＳ−ＧＷ３００を経由するデータパスを用いて、新たなデータの送信を開始する。
【００８４】
このように、ＵＥ１００−１及びＵＥ１００−２は、セルラ通信に切り替える前に、未送信データを破棄することなく、局所中継モードにより未送信データを送信できる。従って、直接通信モードによるＤ２Ｄ通信の通信状態が悪化した場合に、Ｄ２Ｄ通信からセルラ通信への切り替えをシームレスに行うことができる。
【００８５】
（２）動作シーケンス
図１１は、本実施形態に係るシーケンス図である。
【００８６】
図１１に示すように、ステップＳ１１において、ＵＥ１００−１及びＵＥ１００−２は、ｅＮＢ２００の管理下で直接通信モードでのＤ２Ｄ通信を行う。
【００８７】
ステップＳ１２において、直接通信モードでのＤ２Ｄ通信の通信状態が悪化する。例えば、Ｄ２Ｄ通信における受信電力又は受信ＳＮＲが閾値よりも低くなる。或いは、Ｄ２Ｄ通信における受信誤り率が閾値よりも高くなる。
【００８８】
ステップＳ１３において、ＵＥ１００−１は、通信状態の悪化を検出したことに応じて、局所中継モードへの遷移要求（Ｌ．Ｒ  Ｄ２Ｄ  ｒｅｑｕｅｓｔ）をｅＮＢ２００に送信する。なお、ＵＥ１００−２も通信状態の悪化を検出していれば、ＵＥ１００−２も局所中継モードへの遷移要求（Ｌ．Ｒ  Ｄ２Ｄ  ｒｅｑｕｅｓｔ）をｅＮＢ２００に送信してもよい。
【００８９】
ｅＮＢ２００は、ＵＥ１００−１から受信した遷移要求に基づいて、局所中継モードへ遷移することが可能か否かを判断する。ここでは、ｅＮＢ２００が、局所中継モードへの遷移が可能と判断したと仮定して説明を進める。
【００９０】
ステップＳ１４において、ｅＮＢ２００は、遷移要求に対する許可応答（Ｌ．Ｒ  Ｄ２Ｄ  ｇｒａｎｔ）をＵＥ１００−１に送信する。なお、ｅＮＢ２００は、ＵＥ１００−２にも許可応答を送信してもよい。
【００９１】
ステップＳ１５において、ＵＥ１００−１及びＵＥ１００−２は、許可応答をｅＮＢ２００から受信したことに応じて、ｅＮＢ２００と共に、直接通信モードから局所中継モードへ遷移する。具体的には、ｅＮＢ２００、ＵＥ１００−１、及びＵＥ１００−２は、ｅＮＢ２００を経由し、且つＳ−ＧＷ３００を経由しないデータパスを設定し、当該データパスを用いて未送信データを送受信する。
【００９２】
ステップＳ１６において、ＵＥ１００−１は、ＵＥ１００−２への未送信データの送信が完了したことに応じて、送信完了通知（Ｐａｃｋｅｔ  ｃｏｍｐｌｅｔｅ）をｅＮＢ２００に送信する。
【００９３】
ステップＳ１７において、ＵＥ１００−２は、ＵＥ１００−１への未送信データの送信が完了したことに応じて、送信完了通知（Ｐａｃｋｅｔ  ｃｏｍｐｌｅｔｅ）をｅＮＢ２００に送信する。
【００９４】
ステップＳ１８において、ｅＮＢ２００は、ＵＥ１００−１及びＵＥ１００−２のそれぞれから送信完了通知を受信したことに応じて、セルラ通信のデータパスに切り替えるためのデータパス切替要求（Ｒｏｕｔｅ  ｓｗｉｔｃｈ  ｒｅｑｕｅｓｔ）をＳ−ＧＷ３００に送信する。
【００９５】
Ｓ−ＧＷ３００は、データパス切替要求に基づいて、セルラ通信へ切り替えることが可能か否かを判断する。ここでは、Ｓ−ＧＷ３００が、セルラ通信への切り替えが可能と判断したと仮定して説明を進める。
【００９６】
ステップＳ１９において、Ｓ−ＧＷ３００は、ｅＮＢ２００からのデータパス切替要求に対する許可応答（Ｒｏｕｔｅ  ｓｗｉｔｃｈ  ａｃｃｅｐｔ）をｅＮＢ２００に送信する。
【００９７】
ステップＳ２０において、ｅＮＢ２００が許可応答をＳ−ＧＷ３００から受信した後、ＵＥ１００−１及びＵＥ１００−２は、ｅＮＢ２００及びＳ−ＧＷ３００と共に、Ｄ２Ｄ通信からセルラ通信に切り替える。具体的には、Ｓ−ＧＷ３００、ｅＮＢ２００、ＵＥ１００−１、及びＵＥ１００−２は、ｅＮＢ２００を経由し、且つＳ−ＧＷ３００を経由するデータパスを設定し、当該データパスを用いて新たなデータを送受信する。
【００９８】
このように、本実施形態によれば、セルラ通信に切り替える前に、未送信データを破棄することなく、局所中継モードにより未送信データを送信できる。従って、直接通信モードによるＤ２Ｄ通信の通信状態が悪化した場合に、Ｄ２Ｄ通信からセルラ通信への切り替えをシームレスに行うことができる。また、本実施形態によれば、Ｄ２Ｄ通信とセルラ通信の間で状態遷移が繰り返されることによる制御情報の増大及び負荷の増大を抑制できる。
【００９９】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１００】
例えば、上述した実施形態では、局所中継モードにおいて全ての未送信データを送信した後、Ｄ２Ｄ通信からセルラ通信に切り替える一例を説明した。しかしながら、全ての未送信データの送信が完了する前に、Ｄ２Ｄ通信からセルラ通信への切り替えを開始してもよい。
【０１０１】
また、上述した実施形態では、直接通信モードによるＤ２Ｄ通信の通信状況が悪化した場合に、局所中継モードにより未送信データが送信された後、Ｄ２Ｄ通信からセルラ通信に切り替えられていたが、これに限られない。例えば、ｅＮＢ２００又はコアネットワークの負荷が閾値を超えた場合に、Ｄ２Ｄ通信が行われるケースにおいて、Ｄ２Ｄ通信を行っているＵＥ１００間の無線区間のトラフィック負荷に応じて、Ｄ２Ｄ通信からセルラ通信に切り替えられてもよい。具体的には、ＵＥ１００−１とＵＥ１００−２との間のトラフィック負荷が閾値よりも低くなった場合に、局所中継モードにより未送信データが送信された後、Ｄ２Ｄ通信からセルラ通信に切り替えてもよい。なお、局所中継モードにより未送信データを送信する際に、ＵＥ１００間の無線区間のトラフィック負荷が閾値よりも高くなった場合、直接通信モードに切り替えてもよい。
【０１０２】
上述した実施形態では、本発明をＬＴＥシステムに適用する一例を説明したが、ＬＴＥシステムに限定されるものではなく、ＬＴＥシステム以外のシステムに本発明を適用してもよい。
【０１０３】
なお、米国仮出願第６１／７１８８６９号（２０１２年１０月２６日出願）の全内容が、参照により、本願明細書に組み込まれている。
【産業上の利用可能性】
【０１０４】
以上のように、本発明に係る移動通信システム、ユーザ端末、基地局、プロセッサ及び通信制御方法は、Ｄ２Ｄ通信を適切に制御できるため、移動通信分野において有用である。
【図１】
2014065167.tif 000003
【図２】
2014065167.tif 000004
【図３】
2014065167.tif 000005
【図４】
2014065167.tif 000006
【図５】
2014065167.tif 000007
【図６】
2014065167.tif 000008
【図７】
2014065167.tif 000009
【図８】
2014065167.tif 000010
【図９】
2014065167.tif 000011
【図１０】
2014065167.tif 000012
【図１１】
2014065167.tif 000013
【国際調査報告】
2014065167.tif 000014
2014065167.tif 000015